(57)【要約】      （修正有）【課題】書類を綴じる為にホッチキスする場合、針の位置がバラ付かないようにするホッチキスを提供する。【解決手段】ホッチキスはベース部材１の基部側に起立した支持部４の軸に針収容部材２とレバー部材３を揺動可能に軸支し、そして、レバー部材３の表面には目盛りを形成し、該目盛りの基準線は、針収容部材２に収容した針を押圧して書類に打ち込むことが出来るツメ１１の位置としている。【選択図】図１
0003174029.tif 000002
【実用新案登録請求の範囲】
【請求項１】
複数枚のシートから成る書類を綴じる為のホッチキスにおいて、該ホッチキスはベース部材の基部側に起立した支持部の軸に針収容部材とレバー部材を揺動可能に軸支し、そして、レバー部材の表面には目盛りを形成し、該目盛りの基準線は、針収容部材に収容した針を押圧して書類に打ち込むことが出来るツメの位置としたことを特徴とする目盛り付きホッチキス。
【請求項２】
上記目盛りは基準線を基にして５ｍｍ間隔で目盛り線を形成した請求項１記載の目盛り付きホッチキス。
【考案の詳細な説明】
【技術分野】
【０００１】
本考案は書類の所定の箇所に針を正しく打ち込んで綴じることが出来るようにした目盛り付きホッチキスに関するものである。
【背景技術】
【０００２】
ホッチキスとは、紙に「コ」形の針を打ち込んで、脚先部部分を両側から平らに曲げて紙を綴じる道具である。該ホッチキスは色々な仕事をする上で必要とする道具の１つであり、各個人は少なくとも１個は所持している。オフィスには「コ」形針の大きさを大・中・小としたホッチキスが備わっていて、閉じる紙の枚数（書類の厚さ）に応じて使い分けることが出来るようにしている。
【０００３】
ところで、ホッチキスを使用して所定の枚数から成る書類を綴じることが出来るが、この場合、針の位置がバラ付かないようにする必要がある。一般には適当な幅の綴じシロを残して２本のコ形針を両側部に打ち込むことになるが、両針の位置がバラ付いた綴じ方では好ましくない。私的な書類を綴じる場合であれば、それ程気にすることはないが、書類が商品としてクライアントへ提出する職業にある人（例えば、土地家屋調査士、司法書士、行政書士など）にとって、ホッチキスで打ち込まれる針のバラツキは商品となる書類の内容までも疑われる虞がある。
【０００４】
しかし、所定の綴じシロを残して両針を正しく打ち込むことは容易でなく、殆どは不揃いと成ってしまう。大きなコ形針を打ち込むことが出来る大型のホッチキスには書類の位置決め用ストッパーが取付けられている。該ストッパーはスライド可能と成っている為に、書類の綴じシロの幅を自由に調整することが出来るが、常日頃使用する小型のホッチキスにはこのようなストッパーは備わっていない。
【０００５】
特開２００４−７４３３８号に係る「ホッチキスの原稿位置決め具」は、小型のホッチキスには調節可能な大型原稿ストッパーがなく目分量で位置合わせをする為正確な位置に針を打つことが出来ず、またストッパーがあっても小型のために原稿を小さなストッパーに当てなければならず非能率であった。
そこで、大型のストッパーとホッチキス下部に設定された圧力を掛けた抱持部が一体となっていて、任意の位置に設定することができ、取り付け取り外しが簡単に出来る上、一つの部品から構成できている為に故障がなく安価である。
【０００６】
特開２００５−３１９５６５号に係る「ホッチキスの原稿位置決め器具」は、ホッチキスに装着し、原稿を綴じる針の位置を任意に調節できるホッチキスの原稿位置決め器具であり、原稿を綴じる位置決めのための目印となる目盛りをつけた透明なアクリル板等の板を、ホッチキスの針が出る側に装着する原稿位置決め器具である。そこで、原稿位置決め器具が固定式であり器具自体の位置を調節する必要がないため、従来の技術である原稿の位置決めストッパーが不要となるためこのストッパーの調節作業が不要となり、作業を省力化することが出来る。
【特許文献１】特開２００４−７４３３８号に係る「ホッチキスの原稿位置決め具」
【特許文献２】特開２００５−３１９５６５号に係る「ホッチキスの原稿位置決め器具」
【考案の開示】
【考案が解決しようとする課題】
【０００７】
このように、ホッチキスによって複数枚から成る書類を綴じる場合、コ形針が所定の位置に打ち込まれるように位置決めストッパーを備えたホッチキスは知られている。ただし、上記のホッチキスは位置決めストッパーとして別部材を取付けなくてはならず面倒である。しかも、取外し可能な部材であることから、失うこともある。本考案が解決しようとする課題はこの問題点であり、別部材としての位置決めストッパーを取付けることなく、ホッチキスに形成した目盛りによって簡単に位置合わせを行なうことが出来る目盛り付きホッチキスを提供する。
【課題を解決するための手段】
【０００８】
ホッチキスはベース部材、コ形針が収容される針収容部材、及び針を上方から押圧してベース部材との間で書類を挟み込んで打ち込む為のレバー部材を有している。そして、上記針収容部材及びレバー部材はベース部材の基部側に設けている軸に揺動出来るように軸支されている。針収容部材は複数本のコ形針が繋がって構成している針部材を収容すると共に、基部側から先端方向へ該針部材を押圧する為のバネが取付けられ、レバー部材の先端にはコ形針を打ち込むツメを起立している。
【０００９】
ところで、ホッチキスとしての上記基本構造は従来のホッチキスと同じであるが、この基本構造に限定はしないことにする。すなわち、コ形針を書類に打ち込んで綴じる為の具体的な手段は限定しない。本考案のホッチキスはレバー部材の表面に目盛りを形成している点に特徴を備えたものである。目盛りの基準線はレバー部材の先端に設けているツメの位置であって、この位置から一定間隔で複数の目盛り線を形成している。目盛り線はレバー部材の表面に印刷する場合、又は刻印する場合などあり、使用に際して消えないことが必要であって、その具体的な手段は限定しないことにする。
【考案の効果】
【００１０】
このように、本考案のホッチキスはそのレバー部材の表面に目盛りを形成しており、目盛りの基準線はレバー部材先端に設けたツメの位置と成っている。すなわち、打ち込で書類を綴じることが出来る針の位置であり、この目盛りに書類の綴じ側縁を合わせることで、綴じ代を決めることが出来る。従って、複数枚の紙から成る書類をホッチキスによって綴じる場合、目盛りを基準にして位置合わせを行なうことで、各針の位置が違ってバラ付くことはなく、外観上は整った書類となる。そして、本考案のホッチキスは位置決め用の特別な部材を取付ける必要はなく、その為にホッチキス作業を効率よく行うことが出来る。
【図面の簡単な説明】
【００１１】
【図１】目盛りを形成した本考案のホッチキスで、（ａ）は平面図、（ｂ）は正面図。
【図２】（ａ）は本考案のホッチキスを構成する針収容部材で、（ｂ）は（ａ）のＡ−Ａ断面図。
【図３】本考案のホッチキスを構成するレバー部材。
【図４】ベース部材の先端部。
【図５】本考案のホッチキスを用いて書類を綴じる場合。
【考案を実施するための形態】
【００１２】
図１は本考案に係るホッチキスを示す具体例であり、（ａ）は平面図、（ｂ）は正面図をそれぞれ表している。このホッチキスは比較的厚さの薄い書類を綴じる為のもので、同図の１はベース部材、２は針収容部材、３はレバー部材を示し、上記ベース部材１の基部側には両支持部４，４を起立すると共に、該支持部４，４に跨って軸が設けられ、この軸に上記針収容部材２及びレバー部材３が揺動可能に軸支されている。
【００１３】
ベース部材１は金属板の下側に樹脂製の基盤が組み合わされ、またレバー部材３には金属製のフレームを被うように樹脂製のカバーで被覆された構造と成っている。ホッチキスはベース部材１の基部側にバネが取付けられて、針収容部材２及びレバー部材３を図１（ｂ）に示すように押上げていて、ベース部材１と針収容部材２との間には空間５を形成している。そこで、書類を綴じる場合には、ベース部材１の先端部に書類をセットし、レバー部材３を押下げるならば針収容部材２も同時に降下して書類をベース部材１と針収容部材２とで挟み、さらにレバー部材３を押下げるならば、針収容部材２に収容されている針が降下して書類に打ち込まれて綴じることが出来る。
【００１４】
図２は針収容部材２に針部材６が収容されている状態を示しているが、針部材６はコ形をした複数本の針７，７・・・が互いに繋がって構成され、書類を綴じる場合に１本づつ分離して打ち込まれるようになる。ここで、針収容部材２は図２（ｂ）にＡ−Ａ断面を示すように上方を開口したコ形断面を有し、この針収容部材２にコ形の針部材６が下方を開口した状態で収容され、押圧部材８によって先端方向へ押圧されている。
【００１５】
すなわち、押圧部材８の基部側にコイルバネ９が取付けられていて、このコイルバネ９のバネ力が上記押圧部材８に付勢されている。従って、針部材６は針収容部材２の先端ストッパー１０に当り、レバー部材３の先端に設けたツメ１１によって１本の針７が上方から押圧され、その結果、針部材６から分離して書類が綴じられる。針収容部材２の底板先端には針１本が通過することが出来る狭い溝１２が形成されていて、ツメ１１によって押圧・分離したコ形針７はこの溝１２を通過して書類に打ち込まれる。
【００１６】
図２（ａ）は針収容部材２の先端に形成した溝１２が分かるように、針部材６の一部を切欠いた状態を表している。そして、針収容部材２はベース部材１の基部側に起立した支持部４，４に設けた軸１４に揺動可能に軸支される。同図に示す軸１４はベース部材１の両支持部４，４に跨って取付けられている。
【００１７】
図３はレバー部材３の構造が分かるように内側を示している。該レバー部材３はコ形断面をしたフレーム１５を被覆する樹脂カバー１６が取付けられ、そしてフレーム１５の内部には押え部材１３が軸１４に揺動可能に取付けられている。軸１４はベース部材１の基部側に起立した支持部４，４に設けられ、レバー部材３はこの軸１４に揺動出来るように軸支されている。
【００１８】
上記押え部材１３はフレーム１５に取付けた板バネ１８にてバネ力が付勢され、図３（ｂ）の状態では上方へ押上げられる。しかし、ツメ１１に形成したガイド溝に先端突片１７が嵌っていて、上方への押上げが規制されている。この押え部材１３は上記針収容部材２と組み合わせて、図１（ｂ）の状態では針収容部材２に収容された針部材６が外れないように押えることが出来る。
【００１９】
フレーム１５の先端にはツメ１１は設けられ、該ツメ１１は１本のコ形針を押圧することが出来る厚さを有す板状体であって、レバー部材３を押下げるならばツメ１１はコ形針の両脚を繋ぐ連結部に当接して押圧することが出来る。針７は針収容部２の先端溝１２を通過し、同時にツメ１１も溝１２に嵌ることが出来る。
【００２０】
図４はベース部材１の先端部を表している。ベース部材１の先端部には折り曲げ溝１９ａ,１９ｂが対を成して形成され、コ形針７の両脚は打ち込まれることで書類を通過すると共に、上記折り曲げ溝１９ａ,１９ｂにて両脚は内側へ折り曲げられる。その為に複数枚の紙から成る書類が針７によって綴じられる。
【００２１】
ところで、複数枚の紙を重ね合わせた書類を綴じる場合、綴じ側をベース部材１の先端部に配置してレバー部材３の表面に形成している目盛りを基準として位置合わせを行なう。目盛りの基点となる基準線２０はツメ１１の位置に形成されている為に、この基準線２０の位置に針７が打ち込まれるようになり、複数箇所に打ち込んだ針７，７・・・の位置がバラ付くことなく整った状態でホッチキスすることが出来る。
【００２２】
図５は書類を綴じる際にホッチキスする状態を示している。レバー部材３の表面に形成している目盛り線の中で、基準線２０を基点として５ｍｍ間隔で目盛り線２１ａ,２１ｂ,２１ｃ・・・・を設けている。そこで、書類を綴じる場合、テーブルや机の上に載置した書類の綴じ側をベース部材１と針収容部材２の間にセットし、書類の綴じ側縁２２を上記目盛り線２１ｂに合わせてホッチキスすることが出来る。目盛り線２１ｂに綴じ側縁２２を一致させてホッチキスするならば、針７と綴じ側縁２２との間隔は１ｃｍとなる。同じく、目盛り線２１ａに一致させてホッチキスするならば、綴じ側縁２２と針７との間隔は５ｍｍとなる。
【００２３】
そこで、Ａ４版書類の２ヶ所をホッチキスする場合、２本の針７，７はバラ付くことなく整い、書類の外観は向上する。従来では、位置ズレした針７を抜き取って再びホッチキスする場合も多々発生したが、本考案のホッチキスを使用するならば、個々の針７，７は所定の位置に正しくホッチキスされ、書類の外観は向上する。ところで、本考案の実施例として説明した図１〜図４で示したホッチキスの構造はあくまでも１具体例に過ぎず、あくまでもレバー部材３の表面に目盛りを形成したことに特徴を有すホッチキスである。
【符号の説明】
【００２４】
１   ベース部材
２   針収容部材
３   レバー部材
４   支持部
５   空間
６   針部材
７   針
８   押圧部材
９   コイルバネ
10   ストッパー
11   ツメ
12   溝
13   押え部材
14   軸
15   フレーム
16   樹脂カバー
17   突片
18   板バネ
19   折り曲げ溝
20   基準線
21   目盛り線
22   綴じ側縁
【図１】
0003174029.tif 000003
【図２】
0003174029.tif 000004
【図３】
0003174029.tif 000005
【図４】
0003174029.tif 000006
【図５】
0003174029.tif 000007